(57)【要約】      （修正有）【課題】神社・仏閣のお守りを電子化して授与するサービスであっても、神社・仏閣への集客手段を有する電子お守り授与システムを提供する。【解決手段】電子お守り授与システムは、お守りの台紙を選択する台紙一覧画面と、お守りの台紙に表示する写真を選択する写真選択機能と、お守りの台紙と前記写真選択機能により選択された写真とを用いてお守りデータを作成するお守りデータ作成機能と、お守りデータを有効化する有効化手段と、お守りデータが有効化されたことを示す有効化表示と、を有する。【選択図】図１１
2020184737.tif 000002
【特許請求の範囲】
【請求項１】
神社・仏閣のお守りを電子化して授与するサービスであって、
前記お守りの台紙を選択する台紙一覧画面と、
前記お守りの台紙に表示する写真を選択する写真選択機能と、
前記お守りの台紙と前記写真選択機能により選択された写真とを用いてお守りデータを作成するお守りデータ作成機能と、
前記お守りデータを有効化する有効化手段と、
前記お守りデータが有効化されたことを示す有効化表示と、
を有することを特徴とする電子お守り授与システム。
【請求項２】
前記お守りに有効化可能な期間を設定する有効化手段と、
前記期間の残り期間に合わせた表示手段と、
を有することを特徴とする請求項１に記載の電子お守り授与システム。
【発明の詳細な説明】
【技術分野】
【０００１】  神社・仏閣のお守りを電子化して授与する電子お守り授与システム。
【背景技術】
【０００２】  神社・仏閣のお守りを電子化して授与するサービスとして、神社・仏閣のお守り画像データを、携帯電話、スマートフォン等の端末に配信するサービスがある。
【先行技術文献】
【特許文献】
【０００３】
【特許文献１】特開２００３−３０２００
【発明の概要】
【発明が解決しようとする課題】
【０００４】  しかし、従来のお守り画像データを配信するサービスは、該お守りを授与している神社・仏閣に出向かずとも該お守り画像データを拝受することが可能である。このため、神社・仏閣への集客手段としての効果は無い。【０００５】  本発明は神社・仏閣のお守りを電子化して授与するサービスであっても、神社・仏閣への集客手段を有する電子お守り授与システムを提供することにある。
【課題を解決するための手段】
【０００６】  神社・仏閣のお守りを電子化して授与するサービスであり、前記お守りの台紙を選択する台紙一覧画面と、前記お守りの台紙に表示する写真を選択する写真選択機能と、前記お守りの台紙と前記写真選択機能により選択された写真とを用いてお守りデータを作成するお守りデータ作成機能と、前記お守りデータを有効化する有効化手段と、前記お守りデータが有効化されたことを示す有効化表示と、を有することを特徴とする電子お守り授与システムを提供する。
【発明の効果】
【０００７】  本発明はお守りを電子化して授与するが、授与時のお守りデータは有効化されておらず、神社・仏閣等に置かれたお守りデータを有効化する有効化手段によってのみお守りデータの有効化が可能であるため、少なくともお守りデータを有効化するためには神社・仏閣等を訪問する必要が生じる。本発明は更に有効化可能な期間を設定する有効化手段を持つので、前記期間を超えたお守りを再度有効化するためには神社・仏閣等を訪問する必要が生じる。
【図面の簡単な説明】
【０００８】
【図１】  台紙一覧画面の一例を示す図である。
【図２】  台紙作成画面の一例を示す図である。
【図３】  写真選択画面の一例を示す図である。
【図４】  ユーザによる設定が完了した台紙作成画面の一例を示す図である。
【図５】  お守り一覧画面の一例を示す図である。
【図６】  お守り画面の一例を示す図である。
【図７】  有効化済みお守り画面の一例を示す図である。
【図８】  電子スタンプの一例を示す図である。
【図９】  残り期間に合わせた表示の一例を示す図である。
【図１０】  設定期間を超えた表示の一例を示す図である。
【図１１】  本発明のお守り有効化プロセスの流れの一例を示すフローチャート図である。
【図１２】  本発明のお守り表示プロセスの流れの一例を示すフローチャート図である。
【発明を実施するための形態】
【０００９】  つぎに、本発明の実施形態を図面に基づき説明する。図１は台紙一覧画面の一例を示す図である。該画面にはお守り台紙表示部３の一覧が表示される。台紙表示部３は、お守りの台紙画像を表示する台紙画像１とお守りの種類、お守りを授与する神社・仏閣名等の情報を表示するお守り基本情報２とを含む。又、この台紙表示部３は、台紙画像１のみで構成されても良いし、お守り基本情報２のみで構成されても良い。
【００１０】  ユーザがお守り台紙表示部３をタップ操作等で選択することにより台紙作成画面が表示される。ここではタップ操作等による選択操作を示したが、ダブルタップ、長押し、スライド等その他の操作で選択操作を行っても良い。
【００１１】  図２は台紙作成画面の一例を示す図である。該画面には、前画面においてユーザが選択したお守り台紙表示部３の台紙画像１とお守り基本情報２と、ユーザが選択した写真を表示する写真表示部５と、写真選択操作を呼び出す写真選択機能呼出部６と、写真表示部５にユーザが選択した写真を表示する方法を選択する写真表示方法選択部７と、ユーザによる文字入力が可能な文章入力部８と、ユーザが選択した条件でお守りデータを作成する機能を呼び出すお守りデータ作成機能呼出部９とを含む。又、この台紙作成画面は一例であり、写真表示方法選択部７と文章入力部８とは無くても良い。
【００１２】  ユーザが写真選択機能呼出部６をタップ操作等することにより写真選択機能が呼出され、写真選択画面が表示される。ここではタップ操作等による機能呼出を示したが、ダブルタップ、長押し、スライド等その他の操作で機能呼出を行っても良い。
【００１３】  図３は写真選択画面の一例を示す図である。該画面には、カメラ撮影機能呼出部１０と、閲覧履歴表示機能呼出部１１と、写真画像選択部１２とを含む。
【００１４】  ユーザがカメラ撮影機能呼出部１０をタップ操作等により操作することにより、カメラ撮影機能が起動される。カメラ撮影機能で撮影された写真画像をタップ操作等によりユーザが選択すると、台紙作成画面へ遷移する。ここではタップ操作等による選択操作を示したが、ダブルタップ、長押し、スライド等その他の操作で選択操作を行っても良い。
【００１５】  ユーザが閲覧履歴表示機能呼出部１１をタップ操作等により操作することにより、閲覧履歴表示機能が起動される。閲覧履歴表示機能はユーザの閲覧履歴に従った写真画像を表示する。閲覧履歴表示機能により表示された写真画像をタップ操作等によりユーザが選択すると、台紙作成画面へ遷移する。ここではタップ操作等による選択操作を示したが、ダブルタップ、長押し、スライド等その他の操作で選択操作を行っても良い。
【００１６】  ユーザが写真画像選択部１２から写真画像をタップ操作等によりユーザが選択すると、台紙作成画面へ遷移する。ここではタップ操作等による選択操作を示したが、ダブルタップ、長押し、スライド等その他の操作で選択操作を行っても良い。
【００１７】  図４はユーザによる設定が完了した台紙作成画面の一例を示す図である。写真表示部５には写真選択画面から選択した写真画像が、写真表示方法選択部７により選択された表示方法で表示され、文章入力部８にはユーザが入力した文字が表示される。
【００１８】  図４では文章入力部８にはユーザが入力した文字列を示したが、文字入力は必須ではなく、文章入力部８は空欄でも良い。
【００１９】  ユーザがお守りデータ作成機能呼出部９をタップ操作等することによりお守りデータ作成機能が呼出され、前画面においてユーザが選択したお守り台紙表示部３の台紙画像１に、写真選択画面から選択した写真画像を写真表示方法選択部７により選択された表示方法で表示する、お守りデータが作成される。作成されたお守りデータはお守り一覧画面に表示される。ここではタップ操作等による機能呼出を示したが、ダブルタップ、長押し、スライド等その他の操作で機能呼出を行っても良い。
【００２０】  図５はお守り一覧画面の一例を示す図である。
【００２１】  お守り情報表示部１６は、ユーザが台紙作成画面において作成したお守り画像と、ユーザが台紙作成画面の文章入力部８へ入力した文字列とを含む。
【００２２】  有効化済みお守り情報表示部１４は、お守り情報表示部１６を構成する要素に加えて、残り期間表示部１５と、有効化表示１７とを含む。又、この有効化済みお守り情報表示部１４は、残り期間表示部１５は無くても良い。
【００２３】  有効化済みお守り情報表示部１４またはお守り情報表示部１６をタップ操作等で選択することによりお守り画面が表示される。ここではタップ操作等による選択操作を示したが、ダブルタップ、長押し、スライド等その他の操作で選択操作を行っても良い。
【００２４】  図６はお守り画面の一例を示す図である。お守り情報表示部１６をタップ操作等で選択することにより該画面が表示される。
【００２５】  図７は有効化済みお守り画面の一例を示す図である。図６のお守り画面を構成する要素に加えて有効化表示１７を含む。有効化済みお守り情報表示部１４をタップ操作等で選択することにより該画面が表示される。
【００２６】  有効化表示１７は、ここでは印影の画像を例示しているが、お守りが有効化されていることを示すものであれば、他の画像、画像効果、写真、文字列、日時表示等やこれらの組合せでも良い。
【００２７】  図６のお守り画面に対して、神社・仏閣等に置かれた有効化手段を用いることにより、お守りはデータ有効化される。お守りデータが有効化されたため、有効化表示１７が図６のお守り画面の構成要素に加わり、図７の有効化済みお守り画面になる。
【００２８】  図８は電子スタンプの一例を示す図である。電子スタンプは電子スタンプ裏面１９に１以上の導電性の性質を持った接触端子２０を持つ。この接触端子２０をマルチタッチ検知可能端末へ接触させ、接触した端子の配置パターンを端末が読み取ることにより端末への入力を可能にする。
【００２９】  上記電子スタンプをユーザ端末に接触させ、端末が読み取った端子の配置パターンが予め待ち受けている端子の配置パターンと一致するときに、該電子スタンプは有効化手段となり、お守りは有効化される。
【００３０】  ここでは電子スタンプを有効化手段として例示したが、特定のコードの入力、ＱＲコード、ＮＦＣ（近距離無線通信規格）、Ｂｌｕｅｔｏｏｔｈ、Ｂｌｕｅｔｏｏｔｈ  Ｌｏｗ  Ｅｎｅｒｇｙ、通信を利用した認証等、ユーザが容易に実行できない手段であれば良い。
【００３１】  上記手段の場合も上記電子スタンプと同様に、端末が読み取ったデータが予め待ち受けているデータと一致するときに、該手段は有効化手段となり、お守りは有効化される。
【００３２】  図１２はここまでに説明した、本発明のお守り有効化プロセスの流れの一例を示すフローチャート図である。
【００３３】  図９は残り期間に合わせた表示の一例を示す図である。お守りには、有効化手段により有効化可能な期間を設定することができる。残り期間に合わせた表示手段による有効化済みお守り情報表示部２１は、残り期間に合わせた表示手段による表示の例である。ここでは有効化表示として使用している画像の濃さを変化させることで残り期間が少なくなっていることを表現しているが、残り期間に合わせた表示が可能であれば、他の画像、画像効果、写真、文字列、日時表示等やこれらの組合せでも良い。
【００３４】  図１０は設定期間を超えた表示の一例を示す図である。設定期間を超えたお守り情報表示部２２は、残り期間に合わせた表示手段による、設定期間を超えた場合の表示の例である。ここでは、有効化表示として使用している画像を消し、残り期間表示部に有効期間が切れたことを示す文章を表示することで、設定期間を超えたことを表現しているが、有効期間が切れたことを示すことが可能であれば、他の画像、画像効果、写真、文字列、日時表示等やこれらの組合せでも良い。
【００３５】  図１３はここまでに説明した、本発明のお守り表示プロセスの流れの一例を示すフローチャート図である。
【符号の説明】
【００３６】  １  台紙画像
２  お守り基本情報
３  お守り台紙表示部
４  スクロールバー
５  写真表示部
６  写真選択機能呼出部
７  写真表示方法選択部
８  文章入力部
９  お守りデータ作成機能呼出部
１０  カメラ撮影機能呼出部
１１  閲覧履歴表示機能呼出部
１２  写真画像選択部
１３  入力文章表示部
１４  有効化済みお守り情報表示部
１５  残り期間表示部
１６  お守り情報表示部
１７  有効化表示
１８  電子スタンプ
１９  電子スタンプ裏面
２０  接触端子
２１  残り期間に合わせた表示手段による有効化済みお守り情報表示部
２２  設定期間を超えたお守り情報表示部
【図１】
2020184737.tif 000003
【図２】
2020184737.tif 000004
【図３】
2020184737.tif 000005
【図４】
2020184737.tif 000006
【図５】
2020184737.tif 000007
【図６】
2020184737.tif 000008
【図７】
2020184737.tif 000009
【図８】
2020184737.tif 000010
【図９】
2020184737.tif 000011
【図１０】
2020184737.tif 000012
【図１１】
2020184737.tif 000013
【図１２】
2020184737.tif 000014